(57)【要約】【課題】異なるネットワークへの接続や、元のネットワークへ接続を戻す処理を簡単な構成で実現すること。【解決手段】本発明のテレビ会議装置１Ａは、異なるネットワークと物理的に接続する複数の接続ポートＰ１、Ｐ２、…、Ｐｎと、異なるネットワークに対応したネットワーク設定と複数の接続ポートＰ１、Ｐ２、…、Ｐｎのうちいずれかとの対応を記憶するネットワーク設定記憶部１１と、切り替え指示に応じて複数の接続ポートＰ１、Ｐ２、…、Ｐｎのうち一つを選択し、その選択された接続ポートとネットワークとの物理的な接続を可能に設定し、当該選択された接続ポート以外の接続ポートとネットワークとの物理的な接続を遮断する選択部１２と、選択部１２で選択された接続ポートと対応したネットワーク設定をネットワーク設定記憶部１１から読み出して設定し、ネットワーク接続を実行するネットワーク接続部１３とを備えるものである。【選択図】図１
2008306327.tif 000002
【特許請求の範囲】
【請求項１】
ネットワークを介して相手方と映像および音声を双方向通信するテレビ会議装置において、
異なるネットワークと物理的に接続する複数の接続ポートと、
前記異なるネットワークに対応した設定情報と前記複数の接続ポートのうちいずれかとの対応を記憶するネットワーク設定記憶手段と、
切り替え指示に応じて前記複数の接続ポートのうち一つを選択し、その選択された接続ポートとネットワークとの物理的な接続を可能に設定する選択手段と、
前記選択手段で選択された接続ポートと対応したネットワークの設定情報を前記ネットワーク設定記憶手段から読み出して設定し、当該選択された接続ポートを介したネットワーク接続を実行するネットワーク接続手段と
を備えることを特徴とするテレビ会議装置。
【請求項２】
前記選択手段は、前記選択された接続ポート以外の接続ポートとネットワークとの物理的な接続を遮断する
ことを特徴とする請求項１記載のテレビ会議装置。
【請求項３】
前記ネットワーク設定記憶手段は、前記複数の接続ポートごとにネットワーク接続の有効・無効の設定情報を記憶しており、
前記ネットワーク接続手段は、前記選択手段で選択された接続ポートを介したネットワーク接続を行うにあたり、前記ネットワーク設定記憶手段に記憶された当該選択された接続ポートに対応する設定情報を参照し、ネットワーク接続が有効である場合のみネットワーク接続を実行する処理を行う
ことを特徴とする請求項１記載のテレビ会議装置。
【発明の詳細な説明】
【技術分野】
【０００１】
本発明は、ネットワークを介して映像および音声を双方向通信するテレビ会議装置に関する。
【背景技術】
【０００２】
従来、テレビ会議装置においてネットワークとの接続を行うポート（接続ポート）は一つしかなく、別のネットワークに接続しない場合にはケーブルの抜き挿しとネットワークに合わせた設定のやり直しとを行う必要がある。この際、ネットワーク接続に対応した設定情報は一つしか記憶されておらず、テレビ会議装置の設置場所や、つなぐネットワーク環境を変えた場合、前の設定に戻すためにはメモなどで設定を控えておき、それを後から上書きで設定する必要がある。また、ネットワークポートを無効にしたいとき、オフの設定がなく、ネットワークケーブルを接続ポートから抜くことで対処している。
【０００３】
具体的には、例えば社内ＬＡＮ（Local Area Network）とインターネットと入れ替えてネットワークを使うときや、異なるインターネットサービスプロバイダにつなぐとき、前に使っていた情報に上書きして保存するため、元に戻したいときのためにユーザが自分でメモ等に保存しておき、戻す際にはメモ等を参照して再度設定し直し、上書き保存する必要がある。その際、メモ等をなくしてしまい、設定値がわからなくなったり、PPPoE（Point to Point Protocol over Ethernet）のユーザ名やパスワードなど再入力する項目や字数が多く、非常に面倒となる。
【０００４】
また、テレビ会議装置に複数のネットワークポートをつけた場合、ネットワークケーブルを指し間違えたときなどケーブルを入れ替えたいときや、使いたくないポートがあったとき、機器がすぐ手に届くところになくラックや天井裏に設置されていると、ケーブルの挿抜が面倒である。ここで、複数のネットワークの切り替えを行う技術として、特許文献１、２が挙げられる。
【０００５】
【特許文献１】特開２００２−２５２８３９号公報
【特許文献２】特開平４−２９００５４号公報
【発明の開示】
【発明が解決しようとする課題】
【０００６】
しかしながら、上記特許文献１、２に開示の技術では、ネットワークの切り替えにおいて複雑な処理および装置構成が必要となるという問題が生じている。
【課題を解決するための手段】
【０００７】
本発明はこのような課題を解決するために成されたものである。すなわち、本発明は、ネットワークを介して相手方と映像および音声を双方向通信するテレビ会議装置において、異なるネットワークと物理的に接続する複数の接続ポートと、異なるネットワークに対応したネットワークの設定情報と複数の接続ポートのうちいずれかとの対応を記憶するネットワーク設定記憶手段と、切り替え指示に応じて複数の接続ポートのうち一つを選択し、その選択された接続ポートとネットワークとの物理的な接続を可能に設定する選択手段と、選択手段で選択された接続ポートと対応したネットワークの設定情報をネットワーク設定記憶手段から読み出して設定し、当該選択された接続ポートを介したネットワーク接続を実行するネットワーク接続手段とを備えるテレビ会議装置である。
【０００８】
このような本発明では、複数のネットワークと物理的に接続可能な複数の接続ポートを備え、各接続ポートと対応付けしてネットワークの設定情報をネットワーク設定記憶手段に記憶していることから、切り替え指示に応じて接続ポートを選択した場合、その選択した接続ポートに対応付けされたネットワークの設定情報を読み出して設定するだけで目的のネットワークへの切り替えを行うことができるようになる。
【発明の効果】
【０００９】
したがって、本発明によれば、異なるネットワークへの接続や、元のネットワークへ接続を戻す処理を簡単な構成で実現することが可能となる。
【発明を実施するための最良の形態】
【００１０】
以下、本発明の実施の形態を図に基づき説明する。
【００１１】
＜テレビ会議システム＞
図１は、本実施形態に係るテレビ会議装置が適用されるテレビ会議システムの概要を説明する模式図である。図１に示すテレビ会議システムでは、主として３つのテレビ会議装置１Ａ〜１Ｃが用いられており、テレビ会議装置１Ａとテレビ会議装置１ＢとがネットワークＮ１を介して接続され、テレビ会議装置１Ａとテレビ会議装置１ＣとがネットワークＮ２を介して接続されている。なお、ネットワーク接続は他の形態も考えられるが、説明を分かりやすくするため本実施形態では図１に示す形態を例とする。
【００１２】
ここで、ネットワークＮ１とネットワークＮ２とは異なるネットワークを意味しており、ネットワーク網が異なる場合、ネットワークプロトコルが異なる場合、同じネットワーク網であっても接続設定が異なる場合を含む。例えば、ネットワークＮ１がＬＡＮ（Local Area Network）、ネットワークＮ２がインターネットであったり、ネットワークＮ１とネットワークＮ２とがインターネットであるが、接続プロバイダーが異なる場合であったりする。
【００１３】
テレビ会議装置１Ａには、ディスプレイＤ１、マイクＭ１、カメラＣ１およびスピーカＳ１が接続され、テレビ会議装置１Ｂには、ディスプレイＤ２、マイクＭ２、カメラＣ２およびスピーカＳ２が接続され、テレビ会議装置１Ｃには、ディスプレイＤ３、マイクＭ３、カメラＣ３およびスピーカＳ３が接続されており、ネットワークＮ１、Ｎ２を介して相互に映像および音声を送受信できるようになっている。
【００１４】
例えば、テレビ会議装置１Ａとテレビ会議装置１ＢとがネットワークＮ１で接続されている場合、テレビ会議装置１ＡのカメラＣ１で撮影した映像は、ネットワークＮ１を介してテレビ会議装置１Ｂに送信され、テレビ会議装置１ＢのディスプレイＤ２に写し出され、テレビ会議装置１ＡのマイクＭ１で取り込んだ音声は、ネットワークＮ１を介してテレビ会議装置１ＢのスピーカＳ２から出力される。反対に、テレビ会議装置１ＢのカメラＣ２で撮影した映像は、ネットワークＮ１を介してテレビ会議装置１Ａに送信され、テレビ会議装置１ＡのディスプレイＤ１に写し出され、テレビ会議装置１ＢのマイクＭ２で取り込んだ音声は、ネットワークＮ１を介してテレビ会議装置１ＡのスピーカＳ１から出力される。
【００１５】
また、テレビ会議装置１Ａとテレビ会議装置１ＣとがネットワークＮ２で接続されている場合、テレビ会議装置１ＡのカメラＣ１で撮影した映像は、ネットワークＮ２を介してテレビ会議装置１Ｃに送信され、テレビ会議装置１ＣのディスプレイＤ３に写し出され、テレビ会議装置１ＡのマイクＭ１で取り込んだ音声は、ネットワークＮ２を介してテレビ会議装置１ＣのスピーカＳ３から出力される。反対に、テレビ会議装置１ＣのカメラＣ３で撮影した映像は、ネットワークＮ２を介してテレビ会議装置１Ａに送信され、テレビ会議装置１ＡのディスプレイＤ１に写し出され、テレビ会議装置１ＣのマイクＭ３で取り込んだ音声は、ネットワークＮ２を介してテレビ会議装置１ＡのスピーカＳ１から出力される。
【００１６】
図中３つのテレビ会議装置１Ａ〜１Ｃのうち、本実施形態に係るのはテレビ会議装置１Ａである。このテレビ会議装置１Ａでは、先に説明した異なるネットワークＮ１、Ｎ２との接続を容易に切り替えることができる構成となっている。
【００１７】
すなわち、テレビ会議装置１Ａには複数のネットワークとの物理的な接続を行うため、複数の接続ポートＰ１、Ｐ２、…、Ｐｎが設けられている。図１に示す例では、接続ポートＰ１にネットワークＮ１と物理的に接続するためのネットワークケーブルＣＢ１が接続され、接続ポートＰ２にネットワークＮ２と物理的に接続するためのネットワークケーブルＣＢ２が接続されている。なお、図１に示す例では２つのネットワークＮ１、Ｎ２との接続例を示しているが、必要に応じて更に別のネットワークと接続することもできる（接続ポートＰｎまで合計ｎ個接続可能）。
【００１８】
本実施形態のテレビ会議装置１Ａでは、複数の接続ポートＰ１、Ｐ２、…、Ｐｎに接続される異なるネットワークとの接続の切り替えを行う構成を備えており、複数の接続ポートＰ１、Ｐ２、…、Ｐｎのうち、ユーザの指示による一つを選択し、この選択された接続ポートとの物理的なネットワーク接続を行い、その他の接続ポートとの物理的なネットワーク接続を遮断するようになっている。
【００１９】
また、テレビ会議装置１Ａは、物理的なネットワーク接続を行ったネットワークについて、予め接続ポートごとに設定されたネットワークの設定情報を用い、このネットワークとの論理的なネットワーク接続を実行することになる。
【００２０】
＜テレビ会議装置の構成＞
図２は、本実施形態に係るテレビ会議装置の主要構成を説明するブロック図である。先に説明したように、本実施形態に係るテレビ会議装置１Ａは、複数の接続ポートＰ１、Ｐ２、…、Ｐｎを備えており、必要に応じて異なるネットワークと物理的に接続するためのネットワークケーブルＣＢが接続されている。なお、図２に示す例では接続ポートにネットワークケーブルＣＢが、無線による接続形態であっても同様である。
【００２１】
テレビ会議装置１Ａの主要構成としては、ネットワーク設定記憶部１１、選択部１２、ネットワーク接続部１３であり、また、カメラ制御部１５、ディスプレイ制御部１６、音声制御部１７および音声制御部１８も設けられている。
【００２２】
ネットワーク設定記憶部１１は、異なるネットワークに対応した設定情報（ネットワーク設定情報）と、このネットワークの設定情報と複数の接続ポートＰ１、Ｐ２、…、Ｐｎとのいずれかとの対応付けを記憶する部分である。ネットワークの設定情報や接続ポートとの対応の情報は、ユーザが適宜設定可能であり、接続ポートの数とは関係なく設定することができる。
【００２３】
また、ネットワーク設定記憶部１１は、複数の接続ポートＰ１、Ｐ２、…、Ｐｎの各々についてネットワーク接続を有効にするか、無効にするかの設定情報も記憶することができる。つまり、複数の接続ポートＰ１、Ｐ２、…、Ｐｎのうち、ネットワーク接続が有効に設定されているもののみネットワーク接続可能であり、無効に設定されている場合にはユーザによる選択が不可もしくは選択されても物理的な接続を行わないようにする。これにより、ネットワーク接続を無効に設定した接続ポートでは、ネットワークケーブルＣＢを実際に抜くことなく、ネットワークケーブルＣＢが接続されていないのと同じ状態を設定によって作り出すことができる。
【００２４】
選択部１２は、ユーザから送られた切り替え指示に応じて、複数の接続ポートＰ１、Ｐ２、…、Ｐｎのうちいずれの一つの接続ポートを選択し、その接続された接続ポートとネットワークとの物理的な接続を可能に設定する。また、選択された接続ポート以外の接続ポートとネットワークとの物理的な接続を遮断する制御を行う。選択された接続ポート以外の接続ポートのネットワーク接続を遮断することで、接続対象となっていない接続ポートに取り付けられたネットワークケーブルＣＢを抜くことなく、ネットワークとの確実な切り離しを行うことができる。
【００２５】
選択部１２の機構としては、例えばスイッチングトランジスタを有しており、切り替え指示によって必要なスイッチングトランジスタを動作させ、物理的な接続状態を制御する。
【００２６】
ネットワーク接続部１３は、選択部１２で選択された接続ポートと対応したネットワークの設定情報をネットワーク設定記憶部１１から読み出して設定し、当該接続ポートを介したネットワーク接続を実行する部分である。すなわち、ネットワーク設定記憶部１１には、各ネットワークとの接続を行うための設定情報が記憶されているとともに、その設定情報と接続ポートとの対応付けが行われている。したがって、ネットワーク接続部１３は、選択部１２で選択された接続ポートと対応して記憶される設定情報をネットワーク設定記憶部１１から読み出し、その設定情報をネットワーク接続に反映させる。そして、その設定情報を用いた通信プロトコルにてネットワーク接続を実行し、所定の情報入出力を制御することになる。
【００２７】
ここで、選択された接続ポートに対応付けされたネットワークの設定情報が一つの場合には、その設定情報を選択する。また、選択された接続ポートに対応付けされたネットワークの設定情報が複数ある場合には、その中で適用するものを示すフラグが付されたものを選択する。つまり、ネットワークの設定情報には、対応付けする接続ポートの情報のほか、適用するか否かを示すフラグも設定できるようになっている。
【００２８】
カメラ制御部１５は、テレビ会議装置１Ａに接続されるカメラＣ１で取り込んだ映像をネットワーク接続部１３を介してネットワークに出力する制御を行う。すなわち、カメラ制御部１５は、カメラＣ１で取り込んだ映像をネットワーク制御部１３に送り、選択部１２で選択された接続ポートに接続されるネットワークケーブルＣＢを介してネットワークの通信相手先に送る。
【００２９】
ディスプレイ制御部１６は、テレビ会議装置１Ａに接続されるディスプレイＤ１に映像を出力する制御を行う。すなわち、選択部１２で選択された接続ポートに接続されるネットワークケーブルＣＢを介してネットワークから送られる映像をディスプレイＤ１に出力する。ディスプレイ制御部１６は、ネットワークから送られる映像を所定の表示領域に出力する。例えば、ネットワークを介して送られる映像をディスプレイＤ１の全面に表示したり、複数の地点から送られる複数の映像をディスプレイＤ１に分割して割り当てる表示を行う。また、カメラＣ１で取り込んだ自装置側の映像を挿入して表示することも行う。
【００３０】
音声制御部１７は、テレビ会議装置１Ａに接続されるマイクＭ１で取り込んだ音声をネットワーク接続部１３を介してネットワークに出力する制御を行う。すなわち、マイク制御部１７は、マイクＭ１で取り込んだ音声をネットワーク制御部１３に送り、選択部１２で選択された接続ポートに接続されるネットワークケーブルＣＢを介してネットワークの通信相手先に送る。
【００３１】
スピーカ制御部１８は、テレビ会議装置１Ａに接続されるスピーカＳ１から音声を出力する制御を行う。すなわち、選択部１２で選択された接続ポートに接続されるネットワークケーブルＣＢを介してネットワークから送られる音声をスピーカＳ１から出力する。スピーカ制御部１８は、ネットワークを介して複数の音声が送られてきた場合、これらを合成してスピーカＳ１から出力する処理も行う。
【００３２】
なお、図１および図２では、スピーカＳ１が独立した構成として設けられているが、スピーカ制御部１８をディスプレイ制御部１６が兼用し、映像と共に送られる音声を受信した後これを分離し、ディスプレイＤ１に内蔵されたスピーカから音声を出力するようにしてもよい。
【００３３】
＜ネットワーク設定情報＞
図３は、ネットワーク設定情報を説明する模式図である。ネットワーク設定情報は、テレビ会議装置１Ａに内蔵される記憶部もしくは外部接続される記憶媒体に記憶される。本実施形態では、複数のネットワーク設定情報を記憶することができ、接続ポートとの対応付けの情報も記憶される。また、必要に応じて、接続ポートごとのネットワーク接続の有効・無効に関する情報も記憶される。
【００３４】
ネットワーク設定情報は、例えば、ＤＨＣＰ、ＩＰアドレス、ネットワークマスク、ゲートウェイアドレス、ＤＮＳアドレス、ＮＡＴ設定、ＮＡＴアドレス、ＰＰＰｏＥ、ＰＰＰｏＥユーザ名、ＰＰＰｏＥパスワード、ＰＰＰｏＥ固定ＩＰ、ＰＰＰｏＥ固定ＩＰアドレス、ＰＰＰｏＥＤＮＳの情報を有している。これらを一つのまとまりとして、複数のネットワーク設定情報を格納できるようになっている。
【００３５】
また、各ネットワーク設定情報は、接続ポートとの対応付けの情報も含まれている。これにより、選択部１２によって選択された接続ポートと対応付けされたネットワーク設定情報が読み出され、その設定情報を用いてネットワーク接続が行われることになる。
【００３６】
したがって、ユーザが所定の接続ポートを選択すると、その接続ポートとネットワークケーブルＣＢとの物理的な接続が行われるとともに、その接続ポートと対応付けされたネットワーク設定情報が読み出され、このネットワーク設定情報を用いて選択された接続ポートからネットワーク接続を行うことができる。この際、選択されていない接続ポートについてはネットワークケーブルＣＢとの物理的な接続が遮断され、他のネットワークを介した通信を行えないようになる。
【００３７】
つまり、選択された接続ポートに対応付けされたネットワーク設定情報の読み出しといった簡単な処理によって迅速に別なネットワークへの接続切り替えが可能となる。
【００３８】
また、ネットワーク設定情報として、各接続ポートにおけるネットワーク接続の有効・無効の情報が設定されている場合、選択部１２によって選択された接続ポートについて、このネットワーク接続の有効・無効の情報を読み出し、無効となっている場合にはネットワークケーブルＣＢとの物理的な接続を行わず、有効となっている場合のみネットワークケーブルＣＢとの物理的な接続を行うようにする。これにより、接続しないネットワークと接続される接続ポートについて、ネットワークケーブルＣＢを外すことなく、簡単な設定情報のみよってネットワークを遮断することができるようになる。
【００３９】
ネットワーク設定情報は、上記の例に限定されず、各種ネットワークプロトコルに対応した情報を設定できるようになっている。例えば、ゲートキーパ、ＳＩＰ（Session Initiation Protocol）サーバ等の設定が可能である。ネットワーク設定情報は、ユーザによって適宜設定できるものであり、ネットワークを介してブラウザ表示によるインタフェースで各プロトコルごとに必要な設定情報を入力し、保存することができる。
【００４０】
＜具体例＞
図４は、本実施形態に係るテレビ会議装置の具体例を説明する模式図で、（ａ）は本実施形態のネットワーク切り替え例、（ｂ）は従来のネットワーク切り替え例である。ここでは、複数のネットワークとして、一つがインターネット、一つが社内ＬＡＮを例とし、テレビ会議システムのサーバとして、ゲートキーパもしくはＳＩＰサーバが接続されているものとする。
【００４１】
図４（ａ）に示す例では、本実施形態に係るテレビ会議装置１Ａが適用され、インターネットおよび社内ＬＡＮから成る各ネットワークと、複数の接続ポートとがネットワークケーブルＣＢを介して各々接続されている。
【００４２】
一方、図４（ｂ）に示す従来例では、テレビ会議装置に一つの接続ポートしか設けられていないことから、接続ポートにはネットワーク切替器（切り替えスイッチ）を接続し、このネットワーク切替器の接続ポートにネットワークケーブルＣＢを接続し、インターネットおよび社内ＬＡＮと各々接続されている。
【００４３】
先ず、比較のために従来例でのネットワーク切り替えを説明する。ユーザは、ネットワーク接続の切り替えを行う場合、ネットワーク切替器のスイッチによって所望のネットワークが接続された接続ポートを選択する。
【００４４】
例えば、インターネットが接続ポートＰ１、社内ＬＡＮが接続ポートＰ２に接続されており、インターネットから社内ＬＡＮにネットワーク接続を切り替える場合、ネットワーク切替器のスイッチによって社内ＬＡＮが接続された接続ポートＰ２を選択する。これにより、ネットワーク切替器とネットワークケーブルＣＢとの物理的な接続は、インターネットから社内ＬＡＮへと切り替えられる。
【００４５】
従来例では、このネットワーク切替器の切り替えだけでは物理的な接続のみが切り替わるだけで、この状態でテレビ会議装置と社内ＬＡＮとのネットワーク接続（論理的接続）は行われない。つまり、テレビ会議装置には一つのネットワーク設定だけしか登録できないことから、いままで接続していたインターネットとの接続のための設定がそのまま残っている状態である。そこで、ユーザは、テレビ会議装置に記憶されたネットワーク設定の情報を社内ＬＡＮとの接続に合わせて書き替えることになる。これにより、テレビ会議装置はインターネットから社内ＬＡＮへと切り替わることになる。
【００４６】
また、この状態から再度インターネットへの切り替えを行うには、ネットワーク切替器のスイッチをインターネットが接続された接続ポートＰ１に切り替える。先と同様に、この切り替えによって物理的な接続はインターネットに切り替わるが、テレビ会議装置に設定されたネットワーク接続のための設定情報は社内ＬＡＮ用のままであることから、この設定情報を再度インターネット用に書き替える必要が生じる。
【００４７】
一方、図４（ａ）に示す本実施形態のテレビ会議装置では、上記のようなネットワーク接続のための設定情報の書き替えは一切発生しない。すなわち、予め、各ネットワークごとに対応してネットワーク接続のための設定情報がネットワーク設定記憶部１１に記憶されており、接続ポートとの対応情報も記憶されている。
【００４８】
したがって、ユーザは、ネットワーク接続の切り替えを行う場合、テレビ会議装置１Ａの選択部１２にリモートコントローラ等によって切り替えの指示を与えるだけでネットワークの切り替えを行うことが可能となる。
【００４９】
例えば、インターネットが接続ポートＰ１、社内ＬＡＮが接続ポートＰ２に接続されており、インターネットから社内ＬＡＮにネットワーク接続を切り替える場合、ユーザは選択部１２に接続ポートＰ２を選択する旨の指示を与える。選択部１２は、この指示に応じて、接続ポートＰ１から接続ポートＰ２にネットワークケーブルＣＢとの物理的な接続を切り替える処理を行う。この際、切り替え前に接続されていた接続ポートＰ１とネットワークケーブルＣＢとの物理的な接続は遮断される。
【００５０】
選択部１２が接続ポートＰ２を選択すると、ネットワーク接続部１３は、接続ポートＰ２と対応付けされたネットワーク接続の設定情報をネットワーク設定記憶部１１から読み出し、その設定情報を用いて接続ポートＰ２から社内ＬＡＮへのネットワーク接続を実行する。これにより、接続ポートＰ２を介した社内ＬＡＮとのネットワーク接続が実現される。
【００５１】
また、この状態から再度インターネットへの切り替えを行うには、ユーザは、テレビ会議装置１Ａの選択部１２にリモートコントローラ等によって接続ポートＰ２から接続ポートＰ１への切り替えの指示を与える。この指示に応じて選択部１２は接続ポートＰ２とそこに接続されたネットワークケーブルＣＢとの物理的な接続を遮断し、接続ポートＰ１とそこに接続されたネットワークケーブルＣＢとの物理的な接続を行う。
【００５２】
そして、選択部１２が接続ポートＰ１を選択すると、ネットワーク接続部１３は、接続ポートＰ１と対応付けされたネットワーク接続の設定情報をネットワーク設定記憶部１１から読み出し、その設定情報を用いて接続ポートＰ１からインターネットへのネットワーク接続を実行する。これにより、接続ポートＰ１を介したインターネットとのネットワーク接続が実現される。
【００５３】
また、本実施形態では、ネットワーク設定記憶部１１に複数のネットワーク設定情報を記憶できるため、同じ接続ポートであっても異なるネットワーク設定情報を登録しておくことができ、いずれのネットワーク設定情報を用いるかのフラグを設定できる。このため、ネットワーク設定情報としてゲートキーパやＳＩＰサーバの各々の設定を登録したものを用意しておき、切り替えを行う際、適用するゲートキーパやＳＩＰサーバに対応したネットワーク設定情報のフラグを適用するにすれば、同じ接続ポートであっても異なるサーバへの切り替えを容易に行うことが可能となる。
【００５４】
また、図４（ｂ）に示す従来例において、いずれかの接続ポートとネットワークとの接続を無効にしたい場合、その接続ポートに接続されたネットワークケーブルＣＢを抜いておくといった対処が必要となる。
【００５５】
図４（ａ）に示す本実施形態では、ネットワーク設定の情報として各接続ポートとネットワーク接続の有効・無効を設定できることから、この設定によって接続ポートの有効・無効を制御でき、ネットワークケーブルＣＢを抜く必要がなくなる。
【００５６】
このように、本実施形態では、接続ポートとネットワーク接続の情報との対応付けによって、所定の接続ポートが選択された場合、ネットワークの設定情報も自動的に切り替わることになり、ネットワークの容易な切り替えが可能となる。例えば、上記説明したインターネットと社内ＬＡＮとの切り替え、同じインターネットでも異なるプロバイダーとの接続切り替え、同じネットワークでもサーバ等の設定の切り替えなど、各種のネットワーク切り替えに迅速に対応することが可能となる。
【００５７】
特に、テレビ会議装置を用いたテレビ会議システムでは、テレビ会議装置本体がユーザの近くに配置されていないことが多く、ネットワークの切り替えにネットワークケーブルの抜き差しを行うのが非常に困難である。したがって、本実施形態のような切り替え機能を備えることで、テレビ会議システムの円滑な運用を図ることが可能となる。
【図面の簡単な説明】
【００５８】
【図１】本実施形態に係るテレビ会議装置が適用されるテレビ会議システムの概要を説明する模式図である。
【図２】本実施形態に係るテレビ会議装置の主要構成を説明するブロック図である。
【図３】ネットワーク設定情報を説明する模式図である。
【図４】本実施形態に係るテレビ会議装置の具体例を説明する模式図で、（ａ）は本実施形態のネットワーク切り替え例、（ｂ）は従来のネットワーク切り替え例である。
【符号の説明】
【００５９】
１Ａ〜１Ｃ…テレビ会議装置、１１…ネットワーク設定記憶部、１２…選択部、１３…ネットワーク接続部、１５…カメラ制御部、１６…ディスプレイ制御部、１７…音声制御部、１８…スピーカ制御部
【図１】
2008306327.tif 000003
【図２】
2008306327.tif 000004
【図３】
2008306327.tif 000005
【図４】
2008306327.tif 000006